(57)【要約】　　　（修正有）【課題】取り付けに際して特別な装置を必要とせず、また既に設置してある機器等との接触も防止できるケーブル架線具及びケーブル架線具の取付方法を提供する。更に、取り付けが簡単で経験の少ない作業者でも作業が迅速にできるケーブル架線具及びケーブル架線具の取付方法を提供する。【解決手段】ケーブル架線具Ｔ１は、架線してある吊り線に取り付けてケーブルを架線する吊り部材１と、吊り部材１を間隔を設けて固定する連結部材２と、他のケーブル架線具を長さ方向に繋ぐ接続雄部材３０と接続雌部材３１を備えている。各吊り部材１は、線材を曲げて円環形状を有するハンガ部と、ハンガ部の接線方向に直線状に突出して設けてある連結部と、ハンガ部上で線材が重なる吊り線取付開閉部を備えるように形成してある。【選択図】　　　　図１０
2004088927.tif 000002
【特許請求の範囲】
【請求項１】
架線された吊り線（Ｍ）に取り付けて使用されるケーブル架線具であって、
本質的に剛性または準剛性を有し、吊り線（Ｍ）方向に伸びる本質的に直線状で、少なくとも一端側に他のケーブル架線具を接続するための手段が備えてある連結部材（２）の軸線方向に、吊り線（Ｍ）とケーブル（Ｃ）を内包する大きさに形成された１または２以上の環状の吊り部材（１）　が設けられており、当該吊り部材（１）　は弾性または可撓性線材で形成されて一部に弾性変形により開口する開口部を有することを特徴とする、
ケーブル架線具。
【請求項２】
架線された吊り線（Ｍ）に取り付けて使用されるケーブル架線具であって、
上記吊り線（Ｍ）を内包して当該吊り線（Ｍ）に移動可能に取り付けられる１または２以上の吊り部材（１）と、
上記吊り部材（１）が設けられ、少なくとも一端側に他のケーブル架線具を接続するための手段が備えてある連結部材（２）と、
を備えており、
上記吊り部材（１）は、一部に開口及び閉塞する手段を有していること特徴とする、
ケーブル架線具。
【請求項３】
架線された吊り線（Ｍ）に取り付けて使用されるケーブル架線具であって、
上記吊り線（Ｍ）を内包して当該吊り線（Ｍ）に移動可能に取り付けられる１または２以上の吊り部材（１）と、
上記吊り部材（１）が設けられ、少なくとも一端側に他のケーブル架線具を接続するための手段が備えてある連結部材（２）と、
を備えており、
上記吊り部材（１）は、弾性または可撓性を有する長尺状の部材を曲げて、一部に吊り線（Ｍ）に押し当てることにより弾性変形して開口する開口部を備えていることを特徴とする、
ケーブル架線具。
【請求項４】
架線された吊り線（Ｍ）に取り付けて使用されるケーブル架線具であって、
上記吊り線（Ｍ）を内包して当該吊り線（Ｍ）に移動可能に取り付けられる１または２以上の吊り部材（１）と、
上記吊り部材（１）が設けられ、少なくとも一端側に他のケーブル架線具を接続するための手段が備えてある連結部材（２）と、
を備えており、
上記吊り部材（１）は、弾性または可撓性を有する長尺状の部材を曲げて、環状部と当該環状部より外方に突出した部分を形成し、当該環状部と環状部より外方に突出した部分との間に、吊り線（Ｍ）に押し当てることにより弾性変形して開口する開口部を備えていることを特徴とする、
ケーブル架線具。
【請求項５】
吊り部材（１）または／及び連結部材（２）を吊り線（Ｍ）に固定するための固定手段を備えていることを特徴とする、
請求項１，２，３または４記載のケーブル架線具。
【請求項６】
吊り線（Ｍ）を内包する１または２以上の吊り部材（１）が、連結部材（２）に設けて形成してあるケーブル架線具を架線された吊り線（Ｍ）に取り付ける方法であって、
吊り部材（１）を吊り線（Ｍ）に押し当て、当該吊り部材（１）を弾性変形させて開口した開口部を通して、吊り線（Ｍ）を吊り部材（１）に内包することを特徴とする、
ケーブル架線具の取付方法。
【発明の詳細な説明】
【０００１】
【発明の属する技術分野】
本発明は、架線された吊り線に取り付けてケーブルを電柱間等に架線するためのケーブル架線具及びケーブル架線具の取付方法に関する。
更に詳しくは、特別な装置を必要とせずに吊り線に取り付けることができるようにしたものに関する。また、吊り線に対して略平行な状態で取り付けられるようにして、既に設置してある近隣の機器等との接触が防止できるようにするものに関する。更に、取り付けが簡単で経験の少ない作業者でも迅速な作業ができるようにするものに関する。
【０００２】
【従来技術】
電柱間等へ各種ケーブルを架線する方法としては、吊り線（「メッセンジャワイヤ」ともいう）を電柱間等に架線し、その架線した吊り線に架線具を取り付けて、架線具にケーブルを通して施工する方法が知られている。
【０００３】
従来の架線具は、湾曲したケーブル受け部と、吊り線に取り付けてケーブル受け部を支持する取付つるを備えた構造のものが主流であった。この架線具（「ケーブルリング」ともいう）は、取付つるの先端を吊り線に引っ掛けて取り付けられる。ケーブルは、所要間隔を設けて複数取り付けられた架線具のケーブル受け部の上部に載せて架線される。
【０００４】
しかし、上記した架線具は、作業者が高所作業車等に乗り、吊り線に沿って移動しながら取り付けられていたので、取り付けに時間を要していた。また、架線具は、取付つるの先端を吊り線に引っ掛けて取り付けていたので、例えば、雨風等で激しく吊り線が揺れたようなときでは、取付つるが吊り線から外れて落下するおそれがあった。更には、架線具が外れることでケーブルにたるみが生じたり、ケーブルの荷重が偏ってかかったりすることがあり、これが原因でケーブルの性能に悪影響（通信品質の劣化、断線等）が生じることがあった。
【０００５】
そこで近年、この架線具の課題を解決するものとして、例えば、特開平１０−３３６８２４号公報に開示されているような架線具が開発されている（図１２参照）。この架線具９は、棒状の線材を螺旋状に巻いて形成してあり、所要の長さを有している。
【０００６】
図１３及び図１４を参照する。上記した架線具９は、落下防止懸吊具９２と導入案内具９３によって吊り線９５から落下しないようにしてあり、吊り線９５上に設けた送り出し機９４で所定の位置から吊り線９５の長さ方向に回転させながら送り出して、吊り線９５の周りに取り付けられる（吊り線９５が架線具９の内部に通って配置された状態となる）。
この架線具９は、端部に接続部９０，９１が備えてあり、長さ方向に複数本繋がれる。そうしてケーブルは、繋いで取り付けられた架線具９の内部に通して架線される。
【０００７】
この架線具９によれば、吊り線９５の周りにいわば巻き付いたような状態で取り付けられるので、ケーブルが揺れた場合でも吊り線９５からの落下が防止できる。
また、取り付けに際して作業者が移動する必要がなく、所定の位置に居ながら電柱間等に取り付けることができるので、従来の架線具より取り付け時間の短縮を図ることができる。
【０００８】
【発明が解決しようとする課題】
しかし、上記した螺旋状のケーブルの架線具９には、次のような課題があった。
まず、上記した架線具９は、吊り線９５に取り付けるために、落下防止懸吊具９２、導入案内具９３、送り出し機９４を使用しており、更にこれらは吊り線９５に取り付けていたので、取り付けが相当に面倒であり、しかも大掛かりであった。従って、作業者が移動して取り付ける架線具よりも作業時間の短縮を図ることはできるものの、それでもまだ十分とはいえなかった。
【０００９】
また、架線具９は、螺旋形状を有しているため吊り線９５に対して略平行な状態で取り付けることはできず、若干、吊り線９５に対して斜めに傾けた状態で取り付けられる。そのため、架線具９の取り付けには、この架線具９を斜めにできるだけの空間が必要であり、架線具９を電柱の近傍から送って取り付ける場合では、既に電柱に設置してある近隣のトランス、開閉器、他のケーブル等に架線具を接触させてしまうことがあり危険であった。
【００１０】
更に、架線具９は、回転させて吊り線９５の周りに巻き付かせるようにして取り付けるので、取り付けには要領を必要とし、経験の少ない作業者は迅速な取り付けができなかった。
【００１１】
本発明の目的は、取り付けにあたって従来のケーブルの架線具９でいう落下防止懸吊具９２、導入案内具９３、送り出し機９４等の装置が必要なく、取り付けが大掛かりにならないようにするケーブル架線具及びケーブル架線具の取付方法を提供することにある。
また、本発明の他の目的は、吊り線に対して略平行な状態で取り付けられるようにして、既に設置してある近隣の機器等との接触が防止できるケーブル架線具及びケーブル架線具の取付方法を提供することにある。
更に、本発明の他の目的は、取り付けが簡単で経験の少ない作業者でも迅速な作業ができるようにするケーブル架線具及びケーブル架線具の取付方法を提供することにある。
【００１２】
【課題を解決するための手段】
上記目的を達成するために講じた本発明の手段は次のとおりである。
第１の発明にあっては、
架線された吊り線に取り付けて使用されるケーブル架線具であって、
本質的に剛性または準剛性を有し、吊り線方向に伸びる本質的に直線状で、少なくとも一端側に他のケーブル架線具を接続するための手段が備えてある連結部材の軸線方向に、吊り線とケーブルを内包する大きさに形成された１または２以上の環状の吊り部材が設けられており、当該吊り部材は弾性または可撓性線材で形成されて一部に弾性変形により開口する開口部を有することを特徴とする、
ケーブル架線具である。
【００１３】
第２の発明にあっては、
架線された吊り線に取り付けて使用されるケーブル架線具であって、
上記吊り線を内包して当該吊り線に移動可能に取り付けられる１または２以上の吊り部材と、
上記吊り部材が設けられ、少なくとも一端側に他のケーブル架線具を接続するための手段が備えてある連結部材と、
を備えており、
上記吊り部材は、一部に開口及び閉塞する手段を有していること特徴とする、
ケーブル架線具である。
【００１４】
第３の発明にあっては、
架線された吊り線に取り付けて使用されるケーブル架線具であって、
上記吊り線を内包して当該吊り線に移動可能に取り付けられる１または２以上の吊り部材と、
上記吊り部材が設けられ、少なくとも一端側に他のケーブル架線具を接続するための手段が備えてある連結部材と、
を備えており、
上記吊り部材は、弾性または可撓性を有する長尺状の部材を曲げて、一部に吊り線に押し当てることにより弾性変形して開口する開口部を備えていることを特徴とする、
ケーブル架線具である。
【００１５】
第４の発明にあっては、
架線された吊り線に取り付けて使用されるケーブル架線具であって、
上記吊り線を内包して当該吊り線に移動可能に取り付けられる１または２以上の吊り部材と、
上記吊り部材が設けられ、少なくとも一端側に他のケーブル架線具を接続するための手段が備えてある連結部材と、
を備えており、
上記吊り部材は、弾性または可撓性を有する長尺状の部材を曲げて、環状部と当該環状部より外方に突出した部分を形成し、当該環状部と環状部より外方に突出した部分との間に、吊り線に押し当てることにより弾性変形して開口する開口部を備えていることを特徴とする、
ケーブル架線具である。
【００１６】
第５の発明にあっては、
吊り部材または／及び連結部材を吊り線に固定するための固定手段を備えていることを特徴とする、
第１，第２，第３または第４の発明に係るケーブル架線具である。
【００１７】
第６の発明にあっては、
吊り線を内包する１または２以上の吊り部材が、連結部材に設けて形成してあるケーブル架線具を架線された吊り線に取り付ける方法であって、
吊り部材を吊り線に押し当て、当該吊り部材を弾性変形させて開口した開口部を通して、吊り線を吊り部材に内包することを特徴とする、
ケーブル架線具の取付方法である。
【００１８】
本明細書でいう「ケーブル」としては、例えば、電力ケーブルや通信ケーブル等を挙げることができが、特に限定するものではない。
【００１９】
（作　用）
請求項１記載の発明に係るケーブル架線具は、吊り部材を弾性変形させて一部に形成した開口部から吊り線を通すことで、架線された吊り線に取り付けられる。
【００２０】
ケーブル架線具は、他のケーブル架線具を接続するための手段により連結部材の軸線方向に繋がれる。こうしてケーブル架線具を必要な数繋いで、例えば、電柱間等の略全長にわたって設けることができる。
【００２１】
請求項２記載の発明に係るケーブル架線具は、吊り部材が有する開口及び閉塞する手段により吊り部材の一部に形成された開口部から吊り線を通すことで、架線された吊り線に移動可能に取り付けられる。
【００２２】
請求項３記載の発明に係るケーブル架線具は、吊り部材を吊り線に押し当て、当該吊り部材を弾性変形させて一部に開口部を形成し、当該開口部から吊り線を通すことで、架線された吊り線に移動可能に取り付けられる。
【００２３】
請求項４記載の発明に係るケーブル架線具は、吊り部材の環状部と環状部より外方に突出した部分との間より、当該吊り部材を吊り線に押し当て、吊り部材を弾性変形させて一部に開口部を形成し、当該開口部から吊り線を通すことで、架線された吊り線に移動可能に取り付けられる。
【００２４】
吊り線に固定するための固定手段を備えているものは、吊り線に取り付けられたケーブル架線具の移動が防止できる。
【００２５】
【発明の実施の形態】
本発明の実施の形態を図面に基づき更に詳細に説明する。
図１は本発明に係るケーブル架線具の一実施の形態を示す正面図、
図２は図１に示すケーブル架線具の背面図、
図３は図１に示すケーブル架線具の平面図、
図４は図１に示すケーブル架線具の底面図、
図５は図１に示すケーブル架線具の拡大右側面図、
図６は図１に示すケーブル架線具の拡大左側面図、
図７は図１に示すケーブル架線具の両端にある接続雄部材と接続雌部材を拡大して示す斜視説明図である。
【００２６】
符号Ｔ１はケーブル架線具を示している。ケーブル架線具Ｔ１は、架線してある吊り線に取り付けてケーブルを架線するための吊り部材１・・・と、吊り部材１・・・を所要間隔を設けて連結し固定するための連結部材２と、他のケーブル架線具を長さ方向に繋ぐための接続雄部材３０と接続雌部材３１を備えている。本実施の形態で示すケーブル架線具Ｔ１は、連結部材２に吊り部材１・・・が等間隔で複数箇所、具体的には４箇所に備えてある。
【００２７】
各吊り部材１は、弾性または可撓性を有する一本の線材（丸鋼、棒鋼）を曲げて、所要径の円環形状を有するハンガ部１０と、ハンガ部１０の接線方向に直線状に突出し、所要位置からハンガ部１０を面としたときの略直交する方向に折曲してある連結部１１と、連結部１１が接線方向に突出する位置から所要長さにわたってハンガ部１０上で線材が重なる吊り線取付開閉部１２を備えるように形成してある。また、ハンガ部１０と、連結部１１との間の部分は、取り付けの際に吊り線が挿入される吊り線導入部１５となる。
【００２８】
吊り部材１は、常態で吊り線取付開閉部１２の線材の重なる部分に実質的に隙間ができないように形成してある。この吊り部材１は、吊り線導入部１５からハンガ部１０を変形させようとする外力が作用すれば、ハンガ部１０が弾性変形して吊り線取付開閉部１２の重なっていた線材がずれ、線材間に吊り線が通ることのできる開口部が形成されるようになる。このように吊り線取付開閉部１２は、ハンガ部１０（吊り線を通す部分）の一部を開口したり、閉塞したりできる。
【００２９】
本実施の形態で示す吊り部材１は、φ３ｍｍの外径を有する中実の線材を曲げて、ハンガ部１０がφ７５ｍｍの内径を有し、連結部１１が約６９ｍｍの長さ（接線方向に突出した部分が約３９ｍｍ、折曲した先部側が約３０ｍｍ）を有し、吊り線取付開閉部１２が約３０ｍｍの長さを有するように形成してある。
【００３０】
連結部材２は、所要長さを有する直線状の線材（丸鋼、棒鋼）で構成してある。本実施の形態で示す連結部材２は、外径がφ４ｍｍで、長さが１６００ｍｍの中実の線材を使用している。
【００３１】
吊り部材１・・・は、連結部１１の折曲した先部側の方向と、連結部材２の軸線方向とが同じ方向で、かつ、吊り線導入部１５が連結部材２を挟んだ同じ側に設けられるようにして、前記連結部１１の先部側を連結部材２上に沿わせて溶接してある。また、このときハンガ部１０・・・を面としたときの中心部の軸線方向も同一直線上に位置するようにしてある。
【００３２】
図７を参照する。接続雄部材３０は、連結部材２の外径よりやや径大な内径を有する所要長さの円筒体３００で形成してある（図６参照）。円筒体３００の周面の複数箇所、具体的に二箇所には、接続雌部材３１の係合孔３１２，３１２と係合可能な係合部３０１，３０１が、出入り可能に対向する位置に突設してある。この係合部３０１，３０１は常態で突出した状態を維持するよう付勢してある。接続雄部材３０は、内部に連結部材２の一端を差し込んで取り付けてある。本実施の形態で示す接続雄部材３０は、外径がφ８ｍｍで、長さが３５ｍｍのものを使用している。
【００３３】
接続雌部材３１は、接続雄部材３０と略同じ外径を有する内円筒体３１０の外側に、この内円筒体３１０の外径よりやや径大な内径を有する所要長さの外円筒体３１１を嵌めて形成してある（図６、図７参照）。外円筒体３１１は、内部の長さ方向の略半分の位置まで内円筒体３１０を差し込んで取り付けてある。外円筒体３１１の周面の複数箇所、具体的に二箇所には、上記した係合部３０１，３０１が係合可能な係合孔３１２，３１２が内外周面を貫通して形成してある。接続雌部材３１は、内円筒体３１０の内部に連結部材２の他端を差し込んで取り付けてある。本実施の形態で示す接続雌部材３１の外円筒体３１１は、外径がφ１２ｍｍで、内径が約φ８ｍｍ、長さが７０ｍｍのものを使用している。
【００３４】
本実施の形態で吊り部材１、連結部材２、接続雄部材３０、接続雌部材３１は、共にステンレス製のものを使用している。しかし、これらの材質は、特に限定するものではなく、使用に際し特に支障を及ぼすものでなければ、例えば、鉄やアルミ等の他の金属、合成樹脂等を使用することもできる。また、例えば、吊り部材と連結部材、連結部材と接続雄部材３０や接続雌部材３１とで材質が異なるようにすることもできる（例えば、繋いだものを吊り線に沿って送る際に連結部材が曲がり難いように、連結部材を金属で形成し、吊り部材を合成樹脂（ＦＲＰ（ｆｉｂｅｒ−ｒｅｉｎｆｏｒｃｅｄ　ｐｌａｓｔｉｃｓ）等）で形成する等）。
【００３５】
吊り部材１と連結部材２は、上記線径を有する線材（丸鋼、棒鋼）で形成したが、吊り部材や連結部材を形成する材料はこれに限定するものではなく、例えば、上記した線径より径大または径小な線材を使用することもできるし、断面形状が円形以外（例えば、楕円形、正方形、三角形、長方形、菱形、平行四辺形等）のものを使用することもできる。また、吊り部材と連結部材は、管状（中空状）のものを使用することもできる。
【００３６】
ケーブル架線具Ｔ１を構成する各部材の大きさや形状は、上記したものに限定するものではなく任意に設定することができる。例えば、ハンガ部の形状は、略楕円環形状、略三角環形状、略四角環形状、略菱形環形状、略平行四辺形環形状、これらの形状（円環形状も含む）のものが上下または左右に並設した形状（並設したものの径は同じでも異なっていても良い）等に形成することができる。また、連結部材２は直線状のものを使用したが、曲がったものを使用することもできる。
【００３７】
本実施の形態で吊り部材１の連結部１１は、ハンガ部１０を形成する部材と同じ部材で形成したが、連結部の構造はこれに限定するものではなく、ハンガ部とは別体の部材にすることもできる。また、ハンガ部の形状によっては、連結部は備えない構造にすることもできる。例えば、ハンガ部の一部と連結部材が直接固定できる場合等が挙げられる。
【００３８】
本実施の形態で吊り線取付開閉部１２は、線材を重ねてハンガ部１０を形成する部材と同じ部材で形成したが、吊り線を吊り線導入部１５からハンガ部１０に内包でき、架線された吊り線やケーブルがハンガ部から容易に外れないようにできれば、ハンガ部とは別体の部材にすることもでき、特に構造は限定するものではない。別体の部材としては、例えば、バネ、ネジ、スナップ、フック、ホック等を使用して、ケーブルをハンガ部の内部に通すときはハンガ部の一部に開口部が形成でき、ケーブルが内包されたときは前記箇所が閉塞状態にできるもの等が使用できる。
【００３９】
本実施の形態で吊り部材１は、線材を曲げて形成したものを示したが、これも限定するものではなく、吊り部材は、例えば、型により成形したものや、削り出して形成したもの等を使用することもできる。
【００４０】
吊り部材１と連結部材２には、表面に黒色の塗装を施しているが、これも特に限定するものではなく、例えば、塗料の代わりにメッキを設けることもできるし、必要なければ何も設けなくても良い。また、塗料の色も限定するものではない。
【００４１】
本実施の形態でケーブル架線具Ｔ１は、吊り部材１と連結部材２を溶接により固定したが、これも限定するものではなく、例えば、ボルト・ナット等を使用して、吊り部材１が連結部材２から着脱可能にしておくこともできる。この場合では、吊り部材１と連結部材２とが別々に形が揃った部材ごとに保管等できるため、収容や運搬において無駄なスペースができ難くでき、空間が有効に利用できる。
【００４２】
ケーブル架線具Ｔ１を繋ぐための接続雄部材３０と接続雌部材３１についても、上記した構造のものに限定するものではなく、ケーブル架線具を繋ぐことができれば、例えば、連結部材の一端と他の連結部材の他端とを重ねた状態で固定するものや、連結部材の重ねた部分にピン（軸）等を縦方向や横方向に挿して繋ぐような構造のものを使用することもできる。特に、上記した構造のうちピンを挿して繋いだものについては、このピンを中心として両側のケーブル架線具が屈曲可能であるので、雨風等によりケーブルや吊り線が揺れた場合でも、これに追従して動くことができ、連結部材の曲がり防止や、ケーブル架線具を繋いでいる端部の破損等が防止できる。なお、ケーブル架線具を繋ぐ構造は、特に限定するものではないが、保守点検作業等をし易くするために、繋いだケーブル架線具が適宜分離できるようにしてあることが望ましい。
また、連結部材同士で繋ぐことができれば、接続雄部材３０と接続雌部材３１やこれと同等のものは備えないようにすることもできる。例えば、連結部材自体の一端部に雄部を形成し、他端部に雌部を形成した構造のものを挙げることができる。
【００４３】
ケーブル架線具Ｔ１は、吊り部材１を連結部材２の４箇所に設けたが、吊り部材の数や取付位置は任意に設定されるものであり、特に限定するものではない。例えば、５箇所、６箇所またはそれより多くの箇所に設けることもできるし、４箇所より少なくても良い。また、吊り部材１・・・は等間隔で設けたが、これも限定するものではなく、取り付ける場所によっては間隔を狭めたり、逆に拡げたりすることもできる。
【００４４】
図８はケーブル架線具の端部に繋いで取り付けられ、吊り線と固定されるケーブル架線具を示す正面図である。
符号Ｔ２はケーブル架線具を示している。ケーブル架線具Ｔ２は、吊り部材１と、連結部材２ａと、接続雌部材３１を備えている。本実施の形態において連結部材２ａには吊り部材１が１箇所に設けてある。なお、吊り部材１と接続雌部材３１は、上記したケーブル架線具Ｔ１で示すものと同一ものを使用したので、説明は省略する。また、図８においてケーブル架線具Ｔ１で示す箇所と同一箇所には、同一の符号を付している。
【００４５】
連結部材２ａは、直線状の線材（丸鋼、棒鋼）を折曲して、直線部２０ａと、直線部２０ａに対して斜め方向に立ち上がる立ち上がり部２１ａと、直線部２０ａを略平行な方向に延びる固定部２２ａを備えるように形成してある。連結部材２ａは、外径がφ４ｍｍの中実の線材を使用している。
【００４６】
吊り部材１は、ケーブル架線具Ｔ１と繋いだ際に、ケーブル架線具Ｔ１に設けられた吊り部材１と吊り線導入部１５が設けられる側とが同じ側になるよう直線部２０ａに溶接してある。
接続雌部材３１は、直線部２０ａの端部に設けてある。
【００４７】
ケーブル架線具Ｔ２は、接続雌部材３１をケーブル架線具Ｔ１の接続雄部材３０に嵌め入れて繋がれ、固定部２２ａを吊り線と固定して使用される（図１１参考）。
【００４８】
このケーブル架線具Ｔ２は、主に、複数本繋いだケーブル架線具Ｔ１の一端側に取り付けられるものであり、ケーブル架線具Ｔ１の他端側には、後述するケーブル架線具Ｔ３が取り付けられる（図１１参照）。
なお、ケーブル架線具Ｔ３は、ケーブル架線具Ｔ２と同等の構造を有するので、構造についての詳しい説明は省略する。
ケーブル架線具Ｔ３は、吊り部材１と、端部に接続雄部材３０が設けられた連結部材２ａを備えている。このケーブル架線具Ｔ３の吊り部材１も、ケーブル架線具Ｔ１と繋いだ際に、ケーブル架線具Ｔ１に設けられた吊り部材１と吊り線導入部１５が設けられる側とが同じ側になるようにしてある。
【００４９】
（作　用）
図９は吊り部材を吊り線に取り付ける状態を示す説明図である。
（ａ）は吊り線導入部に吊り線を配置した状態を示している。
（ｂ）は吊り部材を（ａ）に示す状態から矢印方向へ移動させて、吊り線のハンガ部が弾性変形して内方に撓み、吊り線取付開閉部が開かれた状態を示している。
（ｃ）は吊り線が吊り線取付開閉部を通ってハンガ部に内包され、吊り線取付開閉部は元の閉塞状態に復元している状態を示している。
図１０は吊り線に取り付けたケーブル架線具を繋ぐ状態を示す斜視説明図、
図１１はケーブル架線具にケーブルを架線した状態を示す説明図である。
図１ないし図１１を参照し、電柱Ｄ１，Ｄ２間等に架線された吊り線Ｍへの取り付け手順を示しながら、本実施の形態で示すケーブル架線具Ｔ１、Ｔ２、Ｔ３の作用を説明する。
【００５０】
ケーブル架線具Ｔ１、Ｔ２、Ｔ３は、後で詳しく説明するように、電柱Ｄ１の近傍の所定の位置にて取り付けられ（図１１で示す想像線参照）、電柱Ｄ２側に吊り線Ｍに沿って送ることで電柱Ｄ１，Ｄ２間に設置される。なお、いうまでもなく電柱Ｄ２側で取り付け作業を行い、電柱Ｄ１側に送るようにすることもできる。
ケーブル架線具Ｔ１、Ｔ２、Ｔ３は、まず、ケーブル架線具Ｔ２が取り付けられ、次にケーブル架線具Ｔ１が取り付けられ、そして最後にケーブル架線具Ｔ３が取り付けられる。
【００５１】
（１）　ケーブル架線具Ｔ２の取り付け
図９の（ａ）に示すように、ハンガ部１０を吊り線Ｍの上側に位置させて、ハンガ部１０と連結部１１の間の吊り線導入部１５に吊り線Ｍを配置する。
【００５２】
次に、図９の（ｂ）に示すように、ケーブル架線具Ｔ２を矢印方向へ押して移動させる。こうして吊り線Ｍによって吊り線取付開閉部１２が押し開かれようとし、ハンガ部１０が内方に撓んで（弾性変形して）、吊り線取付開閉部１２に開口部１２０が形成される。こうして吊り線Ｍは、開口部１２０を通過してハンガ部１０に内包される。
【００５３】
吊り線Ｍがハンガ部１０に内包され、吊り線Ｍによる吊り線取付開閉部１２への押圧状態が解除されると、ハンガ部１０は線材が弾性を有するために、吊り線取付開閉部１２が図９の（ｃ）に示すように瞬時に元の閉塞状態に戻る（復帰する）。
こうしてケーブル架線具Ｔ２は吊り線Ｍに取り付けられる。
【００５４】
（２）　ケーブル架線具Ｔ１の取り付け
ケーブル架線具Ｔ１もケーブル架線具Ｔ２と同様に、それぞれの吊り部材１・・・において吊り線導入部１５・・・に吊り線Ｍを配置し（図９の（ａ）参照）、ケーブル架線具Ｔ１の全体を矢印方向へ押して移動させる（図９の（ｂ）参照）。これによりケーブル架線具Ｔ１も、吊り線Ｍが吊り線取付開閉部１２・・・を押し開いてハンガ部１０・・・が撓み（変形し）、ハンガ部１０・・・に吊り線Ｍが内包される。吊り線Ｍがハンガ部１０・・・に内包され、吊り線取付開閉部１２・・・への押圧状態が解除されると、吊り線取付開閉部１２・・・は線材の弾性により元の閉塞状態に戻る（図９の（ｃ）参照）。
こうしてケーブル架線具Ｔ１も吊り線Ｍに取り付けられる。
【００５５】
吊り線Ｍに取り付けられたケーブル架線具Ｔ１は、端部の接続雄部材３０を先に取り付けたケーブル架線具Ｔ２の接続雌部材３１内に差し込んで、ケーブル架線具Ｔ２と繋ぐ。接続雄部材３０は接続雌部材３１に差し込まれることで、係合部３０１，３０１が係合孔３１２，３１２に係合するので、簡単には抜けない。
【００５６】
繋いだケーブル架線具Ｔ２とケーブル架線具Ｔ１は、次のケーブル架線具Ｔ１を吊り線Ｍに取り付けるために吊り線Ｍに沿って電柱Ｄ２側へ送られる。そして、新たなケーブル架線具Ｔ１が前記と同じように吊り線Ｍに取り付けられる。取り付けられたケーブル架線具Ｔ１は、接続雄部材３０を先に取り付けたケーブル架線具Ｔ１の接続雌部材３１内に差し込んで繋がれる。こうしてケーブル架線具Ｔ１を必要な数繋ぐ。
【００５７】
（３）　ケーブル架線具Ｔ３の取り付け
このようにしてケーブル架線具Ｔ１を電柱Ｄ１，Ｄ２間の略全長にわたって取り付け、最後に、ケーブル架線具Ｔ２と略同等の構造を有する端部用のケーブル架線具Ｔ３を取り付ける。このケーブル架線具Ｔ３も上記同様にハンガ部１０内に吊り線Ｍを通して取り付ける。そして、接続雄部材３０をケーブル架線具Ｔ１の接続雌部材３１内に差し込んで繋ぐ。
【００５８】
繋がれて電柱Ｄ１，Ｄ２間に取り付けられたケーブル架線具Ｔ１、Ｔ２、Ｔ３は、両端の固定部２２ａが固定部材Ｒ（図１１参照）によって吊り線Ｍに固定される。これによりケーブル架線具Ｔ１、２、Ｔ３は吊り線Ｍに沿って動かないようになる。なお、固定部材Ｒは公知技術のものを使用したので、詳細な説明および図面は省略した。この固定部材Ｒは、特に限定するものではないが、例えば、吊り線Ｍと固定部２２ａを挟持するようなものが使用できる。
【００５９】
その後、ケーブルＣがハンガ部１０・・・の内部に通して架線される。ケーブルＣは、電柱Ｄ１側から電柱Ｄ２に向かって引かれて架線される。
【００６０】
ケーブル架線具Ｔ１、Ｔ２、Ｔ３は、上記したように吊り線Ｍを吊り線導入部１５に配置し、斜め下方に押し込むだけでハンガ部１０を撓ませて内包することができるので、取り付けが簡単であり、取り付けに際して特別な装置も不要である。しかも、ケーブル架線具Ｔ１では、全体を押し込むことにより４つの吊り部材１・・・に略同時に吊り線Ｍを通すことができる。つまり、ケーブル架線具Ｔ１、Ｔ２、Ｔ３によれば、取り付けが迅速にでき、従来のケーブル架線具よりもさらなる取り付け時間の短縮を図ることができる。
【００６１】
ケーブル架線具Ｔ１、Ｔ２、Ｔ３は、吊り線Ｍを吊り線導入部１５に配置し、吊り線Ｍに沿わせて、この吊り線Ｍに対して略平行な状態で取り付けることができるので、取り付けに際して斜めに傾ける必要がなく、従来のケーブル架線具が必要としていたような空間が不要である。従って、既に設置してある近隣の機器や他のケーブル等との接触が防止できる。
【００６２】
ケーブル架線具Ｔ１、Ｔ２、Ｔ３は、このように取り付けが簡単にできるので、経験が少ない作業者でも迅速な取り付けが可能である。
【００６３】
なお、ハンガ部１０・・・内に吊り線Ｍが内包された吊り部材１は、吊り線取付開閉部１２の閉塞状態が保たれているので、雨風等によって吊り線ＭやケーブルＣが揺れたような場合でも吊り線Ｍより自然には外れにくい。また、保守点検等でケーブル架線具Ｔ１、Ｔ２、Ｔ３を取り外す場合では、吊り線取付開閉部１２を必要に応じて開けば良いので、取り外しも簡単である。
【００６４】
本実施の形態で示すケーブル架線具Ｔ２、Ｔ３は、繋げたケーブル架線具Ｔ１の端部に設けるようにしたが、これは限定するものではなく、例えば、ケーブル架線具Ｔ１とケーブル架線具Ｔ１の間に設けることもできる。
【００６５】
本実施の形態では、ケーブル架線具Ｔ２，Ｔ３を吊り線Ｍと固定したが、これは限定するものではなく、例えば、図１ないし図７で示すケーブル架線具Ｔ１を吊り線Ｍと固定部材等により固定することもできる。
【００６６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００６７】
【発明の効果】
本発明は上記構成を備え、次の効果を有する。
本発明によれば、吊り部材を弾性変形させて一部に形成した開口部から吊り線を通すことで、架線された吊り線に取り付けることができる。
また、吊り部材が、一部に開口及び閉塞する手段を有しているものは、当該手段により吊り部材の一部に形成された開口部から吊り線を通すことで、架線された吊り線に移動可能に取り付けることができる。
更に、吊り部材が、弾性または可撓性を有する長尺状の部材を曲げて、一部に吊り線に押し当てることにより弾性変形して開口する開口部を備えているものは、吊り部材を吊り線に押し当て、当該吊り部材を弾性変形させて一部に開口部を形成し、当該開口部から吊り線を通すことで、架線された吊り線に移動可能に取り付けることができる。
更にまた、吊り部材が、弾性または可撓性を有する長尺状の部材を曲げて、環状部と当該環状部より外方に突出した部分を形成し、当該環状部と環状部より外方に突出した部分との間に、吊り線に押し当てることにより弾性変形して開口する開口部を備えているものは、吊り部材の環状部と環状部より外方に突出した部分との間より、当該吊り部材を吊り線に押し当て、吊り部材を弾性変形させて一部に開口部を形成し、当該開口部から吊り線を通すことで、架線された吊り線に移動可能に取り付けることができる。
従って、本発明によれば、吊り線への取り付けが簡単であり、取り付けに際して特別な装置も不要である。また、吊り部材が複数ある場合では、全ての吊り部材を略同時に吊り線を通すこともできる。つまり、本発明に係るものは、吊り線への取り付けが迅速にでき、従来のケーブル架線具よりもさらなる取り付け時間の短縮を図ることができる。
【００６８】
本発明によれば、吊り線に沿わせて、この吊り線に対して略平行な状態で取り付けることができるので、取り付けに際して斜めに傾ける必要がなく、従来のケーブル架線具が必要としていたような空間が不要である。従って、既に設置してある近隣の機器や他のケーブル等との接触が防止できる。
【００６９】
本発明によれば、このように取り付けが簡単にできるので、経験が少ない作業者でも迅速な取り付けが可能である。
【図面の簡単な説明】
【図１】本発明に係るケーブル架線具の一実施の形態を示す正面図。
【図２】図１に示すケーブル架線具の背面図。
【図３】図１に示すケーブル架線具の平面図。
【図４】図１に示すケーブル架線具の底面図。
【図５】図１に示すケーブル架線具の拡大右側面図。
【図６】図１に示すケーブル架線具の拡大左側面図。
【図７】図１に示すケーブル架線具の両端にある接続雄部材と接続雌部材を拡大して示す斜視説明図。
【図８】ケーブル架線具の端部に繋いで取り付けられ、吊り線と固定されるケーブル架線具を示す正面図。
【図９】吊り部材を吊り線に取り付ける状態を示す説明図。
【図１０】吊り線に取り付けたケーブル架線具を繋ぐ状態を示す斜視説明図。
【図１１】ケーブル架線具にケーブルを架線した状態を示す説明図。
【図１２】従来の架線具を示す説明図。
【図１３】図１２に示す架線具を吊り線に取り付ける状態を示す説明図。
【図１４】送り出し機の近傍を拡大して示す説明図。
【符号の説明】
Ｔ１，Ｔ２，Ｔ３　ケーブル架線具
Ｃ　ケーブル
Ｄ１，Ｄ２　電柱
Ｍ　吊り線
Ｒ　固定部材
１　吊り部材
１０　ハンガ部
１１　連結部
１２　吊り線取付開閉部
１５　吊り線導入部
２，２ａ　連結部材
２０ａ　直線部
２１ａ　立ち上がり部
２２ａ　固定部
３０　接続雄部材
３１　接続雌部材
９　架線具
９０，９１　接続部
９２　落下防止懸吊具
９３　導入案内具
９４　送り出し機
９５　吊り線
１２０　開口部
３００　円筒体
３０１　係合部
３１０　内円筒体
３１１　外円筒体
３１２　係合孔
【図１】
2004088927.tif 000003
【図２】
2004088927.tif 000004
【図３】
2004088927.tif 000005
【図４】
2004088927.tif 000006
【図５】
2004088927.tif 000007
【図６】
2004088927.tif 000008
【図７】
2004088927.tif 000009
【図８】
2004088927.tif 000010
【図９】
2004088927.tif 000011
【図１０】
2004088927.tif 000012
【図１１】
2004088927.tif 000013
【図１２】
2004088927.tif 000014
【図１３】
2004088927.tif 000015
【図１４】
2004088927.tif 000016